(57)【要約】【課題】二重反転場を有する二重螺旋コンダクタを提供すること【解決手段】  システムであって、本体と１つ以上の電流源とを含み、前記本体は、第１のランナーおよび第２のランナーと、第１のコンダクタと、第２のコンダクタとを含み、前記１つ以上の電流源は、第１の交流電流を第１のワイヤに提供し、第２の交流電流を第２のワイヤに提供し、第３の交流電流を第３のワイヤに提供し、第４の交流電流を第４のワイヤに提供し、前記システムは、前記第１の交流電流、前記第２の交流電流、前記第３の交流電流、前記第４の交流電流が提供されたことに応答して、電磁気的効果を生成するように構成されている。【選択図】なし【特許請求の範囲】
【請求項１】
システムであって、
本体であって、前記本体は、
二重螺旋において、互いの周囲に絡み合わされ、かつ、螺旋状に巻かれた、第１のランナーおよび第２のランナーと、
前記第１のランナーの周囲に巻かれた第１のコンダクタであって、前記第１のコンダクタは、捩じられた導電性ワイヤの第１のペアを含み、前記捩じられた導電性ワイヤの第１のペアは、第１のワイヤおよび第２のワイヤを含む、第１のコンダクタと、
前記第２のランナーの周囲に巻かれた第２のコンダクタであって、前記第２のコンダクタは、捩じられた導電性ワイヤの第２のペアを含み、前記捩じられた導電性ワイヤの第２のペアは、第３のワイヤおよび第４のワイヤを含む、第２のコンダクタと
を含む、本体と、
第１の交流電流を前記第１のワイヤに提供し、第２の交流電流を前記第２のワイヤに提供し、第３の交流電流を前記第３のワイヤに提供し、第４の交流電流を前記第４のワイヤに提供する１つ以上の電流源であって、前記システムは、前記第１の交流電流、前記第２の交流電流、前記第３の交流電流、前記第４の交流電流が提供されたことに応答して、電磁気的効果を生成するように構成されている、電流源と
を含む、システム。
【請求項２】
前記第１の交流電流および前記第３の交流電流は、第１の周波数を有し、前記第２の交流電流および前記第４の交流電流は、第２の周波数を有する、請求項１に記載のシステム。
【請求項３】
前記第１の交流電流および前記第３の交流電流は、前記本体を通して第１の方向に流れ、前記第２の交流電流および前記第４の交流電流は、前記本体を通して第２の方向に流れ、前記第１の方向は、前記第２の方向の反対である、請求項１に記載のシステム。
【請求項４】
前記第１の周波数および前記第２の周波数は、調和した間隔を形成する、請求項２に記載のシステム。
【請求項５】
前記第２の周波数は、前記第１の周波数の倍数である、請求項２に記載のシステム。
【請求項６】
前記捩じられた導電性ワイヤの第１のペアは、少なくとも２０米国ワイヤゲージ（ＡＷＧ）直径の磁気ワイヤを含む、請求項１に記載のシステム。
【請求項７】
前記捩じられた導電性ワイヤの第１のペアは、１ｃｍ（インチ）当たり少なくとも１４４回捩じられている、請求項１に記載のシステム。
【請求項８】
前記１つ以上の電流源は、マルチチャネルオーディオ増幅器に結合されたマルチチャネル関数発生器を含み、前記マルチチャネルオーディオ増幅器は、前記マルチチャネルオーディオ増幅器の第１のチャネルが、前記第１のワイヤおよび前記第３のワイヤに電気的に結合されるように、かつ、前記マルチチャネルオーディオ増幅器の第２のチャネルが、前記第２のワイヤおよび前記第４のワイヤに電気的に結合されるように、配列されている、請求項１に記載のシステム。
【請求項９】
前記システムは、前記本体に近接した被験者に治療を提供するようにさらに構成されており、前記治療は、前記生成された電磁気的効果を通して提供される、請求項１に記載のシステム。
【請求項１０】
前記システムは、前記システムの前記本体の内部または近くに配置された生物の成長を促進するようにさらに構成されている、請求項１に記載のシステム。
【請求項１１】
前記第１の周波数および前記第２の周波数は、０Ｈｚ〜２０ｋＨｚである、請求項２に記載のシステム。
【請求項１２】
前記第１の周波数および前記第２の周波数は、人間が知覚可能な聴覚感度の範囲内にある、請求項２に記載のシステム。
【請求項１３】
前記被験者の電気生理学的情報に関係する情報を伝搬する出力信号を生成するように構成されたセンサをさらに含み、
前記１つ以上の電流源は、前記第１の交流電流、前記第２の交流電流、前記第３の交流電流、前記第４の交流電流のうちの少なくとも１つを、前記生成された出力信号に対応するように動的に制御するように構成されている、請求項９に記載のシステム。
【請求項１４】
前記電磁気的効果は、電磁場を含む、請求項１に記載のシステム。
【請求項１５】
前記提供された治療は、前記被験者の周囲の赤外線場と相互作用する、請求項９に記載のシステム。
【請求項１６】
前記提供された治療は、前記被験者のエネルギーの流れと相互作用する、請求項９に記載のシステム。
【請求項１７】
１つ以上の物理的プロセッサをさらに含み、
前記１つ以上の物理的プロセッサは、
１つ以上のデジタルオーディオファイルを含む命令を取得することと、
前記取得された情報を処理し、かつ、前記取得された情報に基づいて処理された信号を生成することと、
前記処理された信号に基づいてサウンド信号を発生させることと
をコンピュータ読み取り可能命令を介して行うように構成されており、
前記１つ以上の電流源は、前記第１の周波数および前記第２の周波数のうちの少なくとも１つが、前記発生させられたサウンド信号の１つ以上の周波数に対応するように、前記第１の交流電流、前記第２の交流電流、前記第３の交流電流、前記第４の交流電流のうちの少なくとも１つを、前記発生させられたサウンド信号に対応するように動的に制御するように構成されている、請求項２に記載のシステム。
【発明の詳細な説明】
【技術分野】
【０００１】
（発明の分野）
本発明は、両方の螺旋状構造の周囲に巻かれた捩じられた導電性ワイヤを有する二重螺旋を形成する螺旋状に巻かれたランナーを含む本体、そのような本体を含むデバイス、および／または、電磁気的効果を生成するように構成されたそのような本体を含む（電気的）システムに関する。本発明はさらに、そのような本体、デバイス、および／または、システムの製造に関する。本発明はさらに、そのようなデバイスおよびシステムの動作方法ならびにその用途に関する。本発明はさらに、生成された電磁気的効果を用いることにより、治療を患者に提供すること、または、生物の成長を促進することに関する。
【背景技術】
【０００２】
（発明の背景）
スパイラル状に巻かれた電気的コンダクタは、特定の電磁気的特性および／または電磁気的効果を呈し得る。例えば、電磁気的コイルは、インダクタとして、および／または、変圧器の一部分として機構し得、電気回路における多くの確立された有用な用途を有し得る。１つ以上の電磁気的コイルは、例えば１つ以上の活性電流源が１つ以上のコイルに動作可能に結合されたときに形成される電磁場、および／または、その他の電磁気的効果を活用するために用いられ得る。
【発明の概要】
【課題を解決するための手段】
【０００３】
（概要）
本発明の一局面は、１つ以上の本体、１つ以上の電流源、１つ以上のコンダクタ、１つ以上の導電性ワイヤ、および／または、その他の構成要素を含むシステムに関している。個々の本体は、２つの絡み合わされた螺旋状に巻かれたランナーを含み得る。第１のランナーは、例えば支柱によって第２のランナーに結合され得る。個々のランナーは、螺旋状の形状を有し得る。２つのランナーは、二重螺旋を形成するように配列され得る。二重螺旋は、トロイダル形状に配列され得る、および／または、トロイダル構造の周囲に配列され得る。例えば、トロイダル構造は、円環と同一または類似であり得る。個々の本体は、円形形状、トロイダル形状、および／または、その他の形状に配列され得る。１つ以上の導電性ワイヤは、第１のランナー、第２のランナー、および／または、トロイダル構造のうちの１つ以上の周囲に巻かれ得る。捩じられた導電性ワイヤの１つ以上のペアは、第１のランナー、第２のランナー、および／または、トロイダル構造のうちの１つ以上の周囲に巻かれ得る。１つ以上のランナーは、電流を導通するように、および／または、電磁気的放射を放出するように構成され得る。
【０００４】
本開示のこれらの対象およびその他の対象、特徴、特性、ならびに、構造の関連する構成要素の動作方法および機能、そして、部品の組み合わせや、製造の経済性は、添付の図面を参照しながら、以下の記載および添付の特許請求の範囲を考慮した際に明らかになり得、添付図面のすべては、本明細書の一部を形成し、同様の参照番号は、様々な図面における対応する部分を指す。しかしながら、図面は図示および記述を目的としているにすぎず、いかなる限定の定義としても意図されていないことがはっきりと理解されるべきである。明細書中および特許請求の範囲中で用いられているとき、単数形「ａ」、「ａｎ」、「ｔｈｅ」は、文脈が明確に指示している場合を除き、複数の参照を含む。
【０００５】
本発明にしたがい、添付の特許請求の範囲に開示されているように、システムが提供され、該システムは、
本体であって、
二重螺旋において、互いの周囲に絡み合わされ、かつ、螺旋状に巻かれた、第１のランナーおよび第２のランナーと、
前記第１のランナーの周囲に巻かれた第１のコンダクタであって、前記第１のコンダクタは、捩じられた導電性ワイヤの第１のペアを含み、前記捩じられた導電性ワイヤの第１のペアは、第１のワイヤおよび第２のワイヤを含む、第１のコンダクタと、
前記第２のランナーの周囲に巻かれた第２のコンダクタであって、前記第２のコンダクタは、捩じられた導電性ワイヤの第２のペアを含み、前記捩じられた導電性ワイヤの第２のペアは、第３のワイヤおよび第４のワイヤを含む、第２のコンダクタと
を含む、本体と、
第１の交流電流を前記第１のワイヤに提供し、第２の交流電流を第２のワイヤに提供し、第３の交流電流を第３のワイヤに提供し、第４の交流電流を第４のワイヤに提供する１つ以上の電流源であって、前記システムは、前記第１の交流電流、前記第２の交流電流、前記第３の交流電流、前記第４の交流電流が提供されたことに応答して、電磁気的効果を生成するように構成されている、電流源と
を含む。
【０００６】
一実施形態において、前記第１の交流電流および前記第３の交流電流は、第１の周波数を有し、前記第２の交流電流および前記第４の交流電流は、第２の周波数を有する。
【０００７】
一実施形態において、前記第１の交流電流および前記第３の交流電流は、前記本体を通して第１の方向に流れ、前記第２の交流電流および前記第４の交流電流は、前記本体を通して第２の方向に流れ、前記第１の方向は、前記第２の方向の反対である。
【０００８】
一実施形態において、前記第１の周波数および前記第２の周波数は、調和した間隔を形成する。一実施形態において、前記第２の周波数は、前記第１の周波数の倍数である。
【０００９】
一実施形態において、前記捩じられた導電性ワイヤの第１のペアは、少なくとも２０米国ワイヤゲージ（ＡＷＧ）直径の磁気ワイヤを含む。
【００１０】
一実施形態において、前記捩じられた導電性ワイヤの第１のペアは、１ｃｍ（インチ）当たり少なくとも１４４回捩じられている。
【００１１】
一実施形態において、前記１つ以上の電流源は、マルチチャネルオーディオ増幅器に結合されたマルチチャネル関数発生器を含み、前記マルチチャネルオーディオ増幅器は、前記マルチチャネルオーディオ増幅器の第１のチャネルが、前記第１のワイヤおよび前記第３のワイヤに電気的に結合されるように、かつ、前記マルチチャネルオーディオ増幅器の第２のチャネルが、前記第２のワイヤおよび前記第４のワイヤに電気的に結合されるように、配列されている。
【００１２】
一実施形態において、前記システムは、前記本体に近接した被験者に治療を提供するようにさらに構成されており、前記治療は、前記生成された電磁気的効果を通して提供される。
【００１３】
一実施形態において、前記システムは、前記システムの前記本体の内部または近くに配置された生物の成長を促進するようにさらに構成されている。
【００１４】
一実施形態において、前記第１の周波数および前記第２の周波数は、０Ｈｚ〜２０ｋＨｚである。
【００１５】
一実施形態において、前記第１の周波数および前記第２の周波数は、人間が知覚可能な聴覚感度の範囲内にある。
【００１６】
一実施形態において、前記システムは、前記被験者の電気生理学的情報に関係する情報を伝搬する出力信号を生成するように構成されたセンサをさらに含み、
前記１つ以上の電流源は、前記第１の交流電流、前記第２の交流電流、前記第３の交流電流、前記第４の交流電流のうちの少なくとも１つを、前記生成された出力信号に対応するように動的に制御するように構成されている。
【００１７】
一実施形態において、前記電磁気的効果は、電磁場を含む。
【００１８】
一実施形態において、前記提供された治療は、前記被験者の周囲の赤外線場と相互作用する。一実施形態において、前記提供された治療は、前記被験者のエネルギーの流れと相互作用する。
【００１９】
一実施形態において、システムは、１つ以上の物理的プロセッサをさらに含み、
前記１つ以上の物理的プロセッサは、
１つ以上のデジタルオーディオファイルを含む命令を取得することと、
前記取得された情報を処理し、かつ、前記取得された情報に基づいて処理された信号を生成することと、
前記処理された信号に基づいてサウンド信号を発生させることと
をコンピュータ読み取り可能命令を介して行うように構成されており、
前記１つ以上の電流源は、前記第１の周波数および前記第２の周波数のうちの少なくとも１つが、前記発生させられたサウンド信号の１つ以上の周波数に対応するように、前記第１の交流電流、前記第２の交流電流、前記第３の交流電流、前記第４の交流電流のうちの少なくとも１つを、前記発生させられたサウンド信号に対応するように動的に制御するように構成されている。
【００２０】
一実施形態において、電磁気的効果を提供するための方法が提供され、
前記方法は、
被験者において、または、前記被験者の近くに、システムを配列することであって、前記システムは、本体を含み、前記本体は、第１のランナー、第２のランナー、第１のワイヤ、第２のワイヤ、第３のワイヤ、第４のワイヤを含み、前記第１のランナーおよび前記第２のランナーは、二重螺旋において、互いの周囲に螺旋状に絡み合わされており、前記第１のワイヤおよび前記第２のワイヤは、捩じられたワイヤの第１のペアを形成し、前記第３のワイヤおよび前記第４のワイヤは、捩じられたワイヤの第２のペアを形成し、前記捩じられたワイヤの第１のペアは、前記第１のランナーの周囲に巻かれており、前記捩じられたワイヤの第２のペアは、前記第２のランナーの周囲に巻かれている、ことと、
前記第１の交流電流、前記第２の交流電流、前記第３の交流電流、前記第４の交流電流が、電磁気的効果を生成するように、前記第１のワイヤを通して第１の交流電流を誘起し、前記第２のワイヤを通して第２の交流電流を誘起し、前記第３のワイヤを通して第３の電流を誘起し、前記第４のワイヤを通して第４の電流を誘起することと
を含む。
【００２１】
一実施形態において、前記第１の交流電流および前記第３の交流電流は、第１の周波数を有し、前記第２の交流電流および前記第４の交流電流は、第２の周波数を有する。
【００２２】
一実施形態において、前記第１の交流電流および前記第３の交流電流は、前記本体を通して第１の方向に流れ、前記第２の交流電流および前記第４の交流電流は、前記本体を通して第２の方向に流れ、前記第１の方向は、前記第２の方向の反対である。
【００２３】
一実施形態において、前記第１の周波数および前記第２の周波数は、調和した間隔を形成する。一実施形態において、前記第２の周波数は、前記第１の周波数の倍数である。
【００２４】
一実施形態において、前記捩じられた導電性ワイヤの第１のペアは、少なくとも２０米国ワイヤゲージ（ＡＷＧ）直径の磁気ワイヤを含む。
【００２５】
一実施形態において、前記捩じられた導電性ワイヤの第１のペアは、１ｃｍ（インチ）当たり少なくとも１４４回捩じられている。
【００２６】
一実施形態において、前記第１の交流電流および前記第３の交流電流を誘起することは、マルチチャネルオーディオ増幅器の第１のチャネルによって実行され、前記第２の交流電流および前記第４の交流電流を誘起することは、前記マルチチャネルオーディオ増幅器の第２のチャネルによって実行される。
【００２７】
一実施形態において、前記方法は、前記本体に近接した被験者に治療を提供することをさらに含み、前記治療は、前記生成された電磁気的効果を通して提供される。
【００２８】
一実施形態において、前記方法は、前記システムの前記本体の内部または近くに配置された生物の成長を促進することをさらに含む。
【００２９】
一実施形態において、前記第１の周波数および前記第２の周波数は、０Ｈｚ〜２０ｋＨｚである。
【００３０】
一実施形態において、前記第１の周波数および前記第２の周波数は、人間が知覚可能な聴覚感度の範囲内にある。
【００３１】
一実施形態において、前記方法は、
前記被験者の電気生理学的情報に関係する情報を伝搬する出力信号を生成すること
をさらに含み、
前記誘起することは、前記第１の交流電流、前記第２の交流電流、前記第３の交流電流、前記第４の交流電流のうちの少なくとも１つを、前記生成された出力信号に対応するように動的に制御することを含む。
【００３２】
一実施形態において、前記電磁気的効果は、電磁場を含む。
【００３３】
一実施形態において、治療を提供することは、前記生成された電磁気的効果が前記被験者の周囲の赤外線場と相互作用することを含む。一実施形態において、治療を提供することは、前記生成された電磁気的効果が前記被験者のエネルギーの流れと相互作用することを含む。
【００３４】
一実施形態において、前記方法は、
１つ以上のデジタルオーディオファイルを含む情報を取得することと、
前記取得された情報を処理し、かつ、前記取得された情報に基づいて、処理された信号を生成することと、
前記処理された信号に基づいてサウンド信号を発生させることと、
前記第１の周波数および前記第２の周波数のうちの少なくとも１つが、前記発生させられたサウンド信号の１つ以上の周波数に対応するように、前記第１の交流電流、前記第２の交流電流、前記第３の交流電流、前記第４の交流電流のうちの少なくとも１つを、前記発生させられたサウンド信号に対応するように動的に制御することと
をさらに含む。
本発明は、例えば、以下を提供する。
（項目１）
システムであって、
本体であって、上記本体は、
二重螺旋において、互いの周囲に絡み合わされ、かつ、螺旋状に巻かれた、第１のランナーおよび第２のランナーと、
上記第１のランナーの周囲に巻かれた第１のコンダクタであって、上記第１のコンダクタは、捩じられた導電性ワイヤの第１のペアを含み、上記捩じられた導電性ワイヤの第１のペアは、第１のワイヤおよび第２のワイヤを含む、第１のコンダクタと、
上記第２のランナーの周囲に巻かれた第２のコンダクタであって、上記第２のコンダクタは、捩じられた導電性ワイヤの第２のペアを含み、上記捩じられた導電性ワイヤの第２のペアは、第３のワイヤおよび第４のワイヤを含む、第２のコンダクタと
を含む、本体と、
第１の交流電流を上記第１のワイヤに提供し、第２の交流電流を上記第２のワイヤに提供し、第３の交流電流を上記第３のワイヤに提供し、第４の交流電流を上記第４のワイヤに提供する１つ以上の電流源であって、上記システムは、上記第１の交流電流、上記第２の交流電流、上記第３の交流電流、上記第４の交流電流が提供されたことに応答して、電磁気的効果を生成するように構成されている、電流源と
を含む、システム。
（項目２）
上記第１の交流電流および上記第３の交流電流は、第１の周波数を有し、上記第２の交流電流および上記第４の交流電流は、第２の周波数を有する、上記項目に記載のシステム。
（項目３）
上記第１の交流電流および上記第３の交流電流は、上記本体を通して第１の方向に流れ、上記第２の交流電流および上記第４の交流電流は、上記本体を通して第２の方向に流れ、上記第１の方向は、上記第２の方向の反対である、上記項目のいずれかに記載のシステム。
（項目４）
上記第１の周波数および上記第２の周波数は、調和した間隔を形成する、上記項目のいずれかに記載のシステム。
（項目５）
上記第２の周波数は、上記第１の周波数の倍数である、上記項目のいずれかに記載のシステム。
（項目６）
上記捩じられた導電性ワイヤの第１のペアは、少なくとも２０米国ワイヤゲージ（ＡＷＧ）直径の磁気ワイヤを含む、上記項目のいずれかに記載のシステム。
（項目７）
上記捩じられた導電性ワイヤの第１のペアは、１ｃｍ（インチ）当たり少なくとも１４４回捩じられている、上記項目のいずれかに記載のシステム。
（項目８）
上記１つ以上の電流源は、マルチチャネルオーディオ増幅器に結合されたマルチチャネル関数発生器を含み、上記マルチチャネルオーディオ増幅器は、上記マルチチャネルオーディオ増幅器の第１のチャネルが、上記第１のワイヤおよび上記第３のワイヤに電気的に結合されるように、かつ、上記マルチチャネルオーディオ増幅器の第２のチャネルが、上記第２のワイヤおよび上記第４のワイヤに電気的に結合されるように、配列されている、上記項目のいずれかに記載のシステム。
（項目９）
上記システムは、上記本体に近接した被験者に治療を提供するようにさらに構成されており、上記治療は、上記生成された電磁気的効果を通して提供される、上記項目のいずれかに記載のシステム。
（項目１０）
上記システムは、上記システムの上記本体の内部または近くに配置された生物の成長を促進するようにさらに構成されている、上記項目のいずれかに記載のシステム。
（項目１１）
上記第１の周波数および上記第２の周波数は、０Ｈｚ〜２０ｋＨｚである、上記項目のいずれかに記載のシステム。
（項目１２）
上記第１の周波数および上記第２の周波数は、人間が知覚可能な聴覚感度の範囲内にある、上記項目のいずれかに記載のシステム。
（項目１３）
上記被験者の電気生理学的情報に関係する情報を伝搬する出力信号を生成するように構成されたセンサをさらに含み、
上記１つ以上の電流源は、上記第１の交流電流、上記第２の交流電流、上記第３の交流電流、上記第４の交流電流のうちの少なくとも１つを、上記生成された出力信号に対応するように動的に制御するように構成されている、上記項目のいずれかに記載のシステム。
（項目１４）
上記電磁気的効果は、電磁場を含む、上記項目のいずれかに記載のシステム。
（項目１５）
上記提供された治療は、上記被験者の周囲の赤外線場と相互作用する、上記項目のいずれかに記載のシステム。
（項目１６）
上記提供された治療は、上記被験者のエネルギーの流れと相互作用する、上記項目のいずれかに記載のシステム。
（項目１７）
１つ以上の物理的プロセッサをさらに含み、
上記１つ以上の物理的プロセッサは、
１つ以上のデジタルオーディオファイルを含む命令を取得することと、
上記取得された情報を処理し、かつ、上記取得された情報に基づいて処理された信号を生成することと、
上記処理された信号に基づいてサウンド信号を発生させることと
をコンピュータ読み取り可能命令を介して行うように構成されており、
上記１つ以上の電流源は、上記第１の周波数および上記第２の周波数のうちの少なくとも１つが、上記発生させられたサウンド信号の１つ以上の周波数に対応するように、上記第１の交流電流、上記第２の交流電流、上記第３の交流電流、上記第４の交流電流のうちの少なくとも１つを、上記発生させられたサウンド信号に対応するように動的に制御するように構成されている、上記項目のいずれかに記載のシステム。
（項目１８）
電磁気的効果を提供するための方法であって、
上記方法は、
被験者において、または、上記被験者の近くに、システムを配列することであって、上記システムは、本体を含み、上記本体は、第１のランナー、第２のランナー、第１のワイヤ、第２のワイヤ、第３のワイヤ、第４のワイヤを含み、上記第１のランナーおよび上記第２のランナーは、二重螺旋において、互いの周囲に螺旋状に絡み合わされており、上記第１のワイヤおよび上記第２のワイヤは、捩じられたワイヤの第１のペアを形成し、上記第３のワイヤおよび上記第４のワイヤは、捩じられたワイヤの第２のペアを形成し、上記捩じられたワイヤの第１のペアは、上記第１のランナーの周囲に巻かれており、上記捩じられたワイヤの第２のペアは、上記第２のランナーの周囲に巻かれている、ことと、
上記第１の交流電流、上記第２の交流電流、上記第３の交流電流、上記第４の交流電流が、電磁気的効果を生成するように、上記第１のワイヤを通して第１の交流電流を誘起し、上記第２のワイヤを通して第２の交流電流を誘起し、上記第３のワイヤを通して第３の電流を誘起し、上記第４のワイヤを通して第４の電流を誘起することと
を含む、方法。
（項目１９）
上記第１の交流電流および上記第３の交流電流は、第１の周波数を有し、上記第２の交流電流および上記第４の交流電流は、第２の周波数を有する、上記項目に記載の方法。
（項目２０）
上記第１の交流電流および上記第３の交流電流は、上記本体を通して第１の方向に流れ、上記第２の交流電流および上記第４の交流電流は、上記本体を通して第２の方向に流れ、上記第１の方向は、上記第２の方向の反対である、上記項目のいずれかに記載の方法。
（項目２１）
上記第１の周波数および上記第２の周波数は、調和した間隔を形成する、上記項目のいずれかに記載の方法。
（項目２２）
上記第２の周波数は、上記第１の周波数の倍数である、上記項目のいずれかに記載の方法。
（項目２３）
上記捩じられた導電性ワイヤの第１のペアは、少なくとも２０米国ワイヤゲージ（ＡＷＧ）直径の磁気ワイヤを含む、上記項目のいずれかに記載の方法。
（項目２４）
上記捩じられた導電性ワイヤの第１のペアは、１ｃｍ（インチ）当たり少なくとも１４４回捩じられている、上記項目のいずれかに記載の方法。
（項目２５）
上記第１の交流電流および上記第３の交流電流を誘起することは、マルチチャネルオーディオ増幅器の第１のチャネルによって実行され、上記第２の交流電流および上記第４の交流電流を誘起することは、上記マルチチャネルオーディオ増幅器の第２のチャネルによって実行される、上記項目のいずれかに記載の方法。
（項目２６）
上記本体に近接した被験者に治療を提供することをさらに含み、上記治療は、上記生成された電磁気的効果を通して提供される、上記項目のいずれかに記載の方法。
（項目２７）
上記システムの上記本体の内部または近くに配置された生物の成長を促進することをさらに含む、上記項目のいずれかに記載の方法。
（項目２８）
上記第１の周波数および上記第２の周波数は、０Ｈｚ〜２０ｋＨｚである、上記項目のいずれかに記載の方法。
（項目２９）
上記第１の周波数および上記第２の周波数は、人間が知覚可能な聴覚感度の範囲内にある、上記項目のいずれかに記載の方法。
（項目３０）
上記被験者の電気生理学的情報に関係する情報を伝搬する出力信号を生成すること
をさらに含み、
誘起することは、上記第１の交流電流、上記第２の交流電流、上記第３の交流電流、上記第４の交流電流のうちの少なくとも１つを、上記生成された出力信号に対応するように動的に制御することを含む、上記項目のいずれかに記載の方法。
（項目３１）
上記電磁気的効果は、電磁場を含む、上記項目のいずれかに記載の方法。
（項目３２）
治療を提供することは、上記生成された電磁気的効果が上記被験者の周囲の赤外線場と相互作用することを含む、上記項目のいずれかに記載の方法。
（項目３３）
治療を提供することは、上記生成された電磁気的効果が上記被験者のエネルギーの流れと相互作用することを含む、上記項目のいずれかに記載の方法。
（項目３４）
１つ以上のデジタルオーディオファイルを含む情報を取得することと、
上記取得された情報を処理し、かつ、上記取得された情報に基づいて、処理された信号を生成することと、
上記処理された信号に基づいてサウンド信号を発生させることと、
上記第１の周波数および上記第２の周波数のうちの少なくとも１つが、上記発生させられたサウンド信号の１つ以上の周波数に対応するように、上記第１の交流電流、上記第２の交流電流、上記第３の交流電流、上記第４の交流電流のうちの少なくとも１つを、上記発生させられたサウンド信号に対応するように動的に制御することと
をさらに含む、上記項目のいずれかに記載の方法。
（摘要）
両方の螺旋状構造の周囲に巻かれた捩じられた導電性ワイヤを有する二重螺旋に似た構造を有する本体を含む電気的システムは、治療を提供し、かつ、生物の成長を促進することを含む、様々な用途のための有用な電磁気的効果を発生させるために用いられ得る。
【図面の簡単な説明】
【００３５】
【図１】図１は、支柱によって結合された２つの絡み合わされた螺旋状に巻かれたランナーを含む例示的な本体の側面図を図示している。
【図２】図２は、支柱によって結合された２つの絡み合わされた螺旋状に巻かれたランナーを含む例示的な本体の等角図を図示している。
【図３】図３は、同じ円形軸を共有する２つの絡み合わされた螺旋状に巻かれたランナーを含む例示的な本体の上から眺めた図を図示しており、両方のランナーは、支柱によって結合されている。
【図４】図４は、同じ円形軸を共有する２つの絡み合わされた螺旋状に巻かれたランナーを含む例示的な本体の等角図を図示しており、両方のランナーは、支柱によって結合されている。
【図５】図５は、同じ円形軸を共有し、かつ、ワイヤガイドを有する、２つの絡み合わされた螺旋状に巻かれたランナーを含む例示的な本体の上から眺めた図を図示しており、両方のランナーは、支柱によって結合されている。
【図６】図６は、同じ円形軸を共有し、かつ、ワイヤガイドを有する、２つの絡み合わされた螺旋状に巻かれたランナーを含む例示的な本体の等角図を図示しており、両方のランナーは、支柱によって結合されている。
【図７】図７は、同じ楕円形軸を共有する２つの絡み合わされた螺旋状に巻かれたランナーを含む例示的な本体を図示しており、両方のランナーは、支柱によって結合されている。
【図８】図８は、同じ円形軸を共有する２つの絡み合わされた螺旋状に巻かれたランナーを含む例示的な本体の上から眺めた図を図示しており、両方のランナーは、支柱によって結合されており、該支柱の周囲にスパイラル状に巻かれた導電性ワイヤを有している。
【図９】図９は、同じ円形軸を共有する２つの絡み合わされた螺旋状に巻かれたランナーを含む例示的な本体の上から眺めた図を図示しており、両方のランナーは、支柱によって結合されており、本体の両方のランナーの周囲にスパイラル状に巻かれたワイヤを有している。
【図１０】図１０は、同じ円形軸を共有する２つの絡み合わされた螺旋状に巻かれたランナーを含む例示的な本体の上から眺めた図を図示しており、両方のランナーは、支柱によって結合されており、該支柱の周囲にスパイラル状に巻かれた捩じられた導電性ワイヤのペアを有している。
【図１１】図１１は、１つ以上の実装にしたがう、被験者に治療を提供するためのシステムを概略的に図示している。
【図１２】図１２は、１つ以上の実装にしたがう、被験者に治療を提供するためのシステムを概略的に図示している。
【図１３】図１３は、１つ以上の実装にしたがう、被験者に治療を提供するための方法を図示している。
【図１４】図１４は、１つ以上の実装にしたがう、ランナーの周囲に配線するための配線情報を図示している。
【発明を実施するための形態】
【００３６】
図８は、生物および／または被験者に対して治療および／または電磁気的効果を提供するように構成された、二重螺旋形状において螺旋状に巻かれ、かつ、トロイダル形状に配列された、第１のランナー８８および第２のランナー８９を含む例示的な本体８５の上から眺めた図を図示している。図１〜７は、本体８５および本体上のバリエーションをいかにして形成するかを図示している。
【００３７】
図１は、例示的な本体１５の側面図を図示している。本体１５は、２つ以上の絡み合わされた螺旋状に巻かれたランナー（すなわち、ランナー１６およびランナー１７）を含み得る。ランナー１６およびランナー１７は、支柱１８によって結合され得る。本体１５は、本体１５の両側に配置された２つの端部（すなわち、端部２０および端部２１）を含む。ランナー１６および／またはランナー１７は、螺旋および／または二重螺旋と類似のまたは実質的に同じ３次元曲線の形状に配列され得る。螺旋は、曲線に沿った任意の点における接線が、軸と呼ばれる（固定された）直線との一定角度を有するという事実によって特徴付けられ得る。螺旋のピッチは、例えば、螺旋の軸に対して平行に測定された、１つの３６０°ヘリックスターン（別名として、旋回）の幅であり得る。絡み合わされた螺旋状に巻かれたランナーは、同じ軸を共有し得、合同であり得、かつ／または、軸に沿った平行移動によって異なり得る（例えば、半ピッチを測定する）。図１に示されている２つのランナーは、約３つの完全な旋回のために水平方向に延びている同じ軸２２を共有し得る。ランナー１６およびランナー１７は、二重螺旋を形成し得る。端部２０から端部２１までの軸２２に沿って測定された本体１５の長さは、したがって、ピッチ２３の長さの約３倍であり得る。螺旋状形状は、一定のピッチ、一定の半径（軸に対して垂直な平面において測定されたもの）、一定の捩じれ率、一定の曲率、捩じれ率に対する曲率の一定の比率、および／または、直線状の軸を有し得る。図１において、本体１５の半径は、直径２４の半分であり得る。本体１５の形状は、デオキシリボ酸（ＤＮＡ）の一般的形状（例えば、二重螺旋）に似ていることに注目されたい。一部の実施形態において、直径２４は、約２．５ｃｍ（１インチ）、５ｃｍ（２インチ）、１０ｃｍ（４インチ）、１５ｃｍ（６インチ）、２０ｃｍ（８インチ）、２５ｃｍ（１０インチ）、３０ｃｍ（１２インチ）、６０ｃｍ（２フィート／２４インチ）、９０ｃｍ（３フィート／３６インチ）、および／または、特定の用途のためのその他の適切な直径であり得る。
【００３８】
非限定的な例として、本体１５の追加的な構造および／または特徴は、米国特許第８，６５３，９２５号、発明の名称“Ｄｏｕｂｌｅ  Ｈｅｌｉｘ  Ｃｏｎｄｕｃｔｏｒ”、２０１４年２月１８日発行、において記載され得、その全体は、参照により本開示中に援用される。この特許はまた、本明細書中では“９２５特許”とも呼ばれ得る。
【００３９】
図１において、ランナー１６およびランナー１７の断面の形状は、高さの約３倍の幅を有する矩形であり得る。さらに、ランナー１６またはランナー１７の幅は、本体１５のランナーのピッチの約１／１３であり得る。結果として、本体１５のランナー１７は、内面２５（螺旋状形状の軸２２に対面している）と、外面２６（内面２５とは逆方向に対面している）を有するリボンに似ている。本体１５のランナー１６は、内面２７（螺旋状形状の軸２２に対面している）と、外面２８（内面２７と逆方向に対面している）とを有するリボンに似ている。本開示の実装は、所与の例のいずれによっても限定されることは意図されていないということに注目されたい。
【００４０】
ランナー１６、ランナー１７、および／または、支柱１８は、プラスチック、金属（銅、ニッケル、鉄、軟鉄、ニッケル合金）でめっきされたプラスチック、光ファイバー材料、および／または、その他の材料のうちの１つ以上から製造され得る。一部の実施形態において、ランナー１６、ランナー１７、支柱１８は、非導電性材料から製造される。ランナー１６、ランナー１７、および／または、支柱１８は、異なる材料から製造され得る。一部の実装において、ランナー１６、ランナー１７、および／または、支柱１８は、可撓性である材料を含み得る。
【００４１】
ランナー１６、ランナー１７、および／または、支柱１８は、一体構成を通して製造され得る、または、組み立てられる前に別個に形成され得る。一部の実施形態において、ランナー１６、ランナー１７、および／または、支柱１８は、磁気的に透過性の材料を含み得る。一実施形態において、ランナー１６、ランナー１７、および／または、支柱１８は、非強磁性であるが導電性の材料を含み得る。
【００４２】
図２は、支柱１８によって結合された２つの絡み合わされた螺旋状に巻かれたランナー（すなわち、ランナー１６およびランナー１７）を含む例示的な本体１５の等角図を図示している。本体１５は、ここでは、両方の螺旋状に巻かれたランナーの軸２２が、垂直に延在している状態で示されている。
【００４３】
図３は、同じ円形軸４２を共有する２つの絡み合わされた螺旋状に巻かれたランナー（ランナー３６およびランナー３７）を含む例示的な本体３５の上から眺めた図を図示しており、両方のランナーは、支柱３８によって結合されている。本体３５の結果としての形状は、トロイダルと呼ばれ得る。本体３５は、平面円形形状において本体を配列し、両方の端部（図１における端部２０および端部２１）を一緒に接合することにより、より多くの旋回を含むが本体１５と同じまたは同様に形成され得る。上述は、いかようにも、本体３５と類似のまたは実質的に同じ本体の製造（のプロセス）を限定することは意図されていない。
【００４４】
図３を参照すると、本体３５の円形軸の直径４４、ならびに、完全な円形軸４２に沿って完全に延在するために必要とされる１ランナー当たりの完全な旋回の数は、本体３５の特徴的な測定量／特徴であり得る。例えば、図３に示されているように、本体３５のランナー３６およびランナー３７は、本体３５の完全な円形軸４２に沿って完全に延在するために円形軸４２の周囲での約８の完全な旋回を必要とし得るか、または、その他の数の回転を必要とし得る。一部の実装において、直径４４は、約１０ｃｍ（４インチ）、１５ｃｍ（６インチ）、２０ｃｍ（８インチ）、２５ｃｍ（１０インチ）、３０ｃｍ（１２インチ）、６０ｃｍ（２フィート／２４インチ）、９０ｃｍ（３フィート／３６インチ）、１２０ｃｍ（４フィート／４８インチ）、１８０ｃｍ（６フィート／７２インチ）、２４０ｃｍ（８フィート／９６インチ）、３００ｃｍ（１０フィート／１２０インチ）、および／または、特定の用途のためのその他の適切な直径であり得る。
【００４５】
一部の実施形態において、本体３５の内径４６および外径４５は、本体３５の特徴的な測定量の特徴であり得る。一部の実施形態において、内径４６は、約２．５ｃｍ（１インチ）、５ｃｍ（２インチ）、１０ｃｍ（４インチ）、１５ｃｍ（６インチ）、２０ｃｍ（８インチ）、２５ｃｍ（１０インチ）、３０ｃｍ（１２インチ）、６０ｃｍ（２フィート／２４インチ）、９０ｃｍ（３フィート／３６インチ）、１２０ｃｍ（４フィート／４８インチ）、１８０ｃｍ（６フィート／７２インチ）、２４０ｃｍ（８フィート／９６インチ）、３００ｃｍ（１０フィート／１２０インチ）、および／または、特定の用途のためのその他の適切な直径であり得る。一部の実装において、外径４５は、約２．５ｃｍ（１インチ）、５ｃｍ（２インチ）、１０ｃｍ（４インチ）、１５ｃｍ（６インチ）、２０ｃｍ（８インチ）、２５ｃｍ（１０インチ）、３０ｃｍ（１２インチ）、６０ｃｍ（２フィート／２４インチ）、９０ｃｍ（３フィート／３６インチ）、１２０ｃｍ（４フィート／４８インチ）、１８０ｃｍ（６フィート／７２インチ）、２４０ｃｍ（８フィート／９６インチ）、３００ｃｍ（１０フィート／１２０インチ）、および／または、特定の用途のためのその他の適切な直径であり得る。例えば、一部の実施形態において、内径４６は、約２５ｃｍ（１０インチ）であり得、外径４５は、約５０ｃｍ（２０インチ）であり得る。
【００４６】
図３における本体３５の１つ以上の支柱３８は、中央支柱要素３９を含み、これは、本体１５の支柱１８から欠如していることに注目されたい。中央支柱要素３９は、本体３５の特定の支柱に関連付けられ得る。一部の実装において、図３に描写されているランナー３６およびランナー３７は、図１、２におけるランナー１６、１７に帰する１つ以上の特徴を共有し得る。
【００４７】
図４は、同じ円形軸を共有する２つの絡み合わされた螺旋状に巻かれたランナー（すなわち、ランナー３６およびランナー３７）を含み、両方のランナーが、支柱３８によって結合されている、例示的な本体３５の等角図を図示している。図３におけるように、図４における本体３５の支柱は、中央支柱要素３９（本体１５の支柱１８から欠如し得る）を含み得るということに注目されたい。
【００４８】
図５は、同じ円形軸６２を共有し、かつ、ワイヤガイド５６を有する、２つの絡み合わされた螺旋状に巻かれたランナー（すなわち、ランナー５７およびランナー５８）を含む、例示的な本体５５の上から眺めた図を図示しており、両方のランナーは、支柱５９によって結合されている。ランナー５７またはランナー５８の任意の部分は、ワイヤガイド５６を含み得る。ワイヤガイド５６は、ランナー５７またはランナー５８上および／またはランナー５７またはランナー５８内に配置された溝、ノッチ、突起、スロット、および／または、その他の構造的要素を含み得、ランナー５７またはランナー５８の表面の少なくとも一部分に沿ってワイヤ（図５においては不図示）をガイドするように構成され得る。例えば、図８は、（ワイヤガイド５６を伴わないが）図５における本体５５に類似した本体を図示しており、該本体は、２つの絡み合わされた螺旋状に巻かれたランナーの周囲に配線された巻きを有している。
【００４９】
このようなワイヤは、本記載中に含まれている任意の図面に挙げられている任意のワイヤと同様に、絶縁されたもの、絶縁されていないもの、または、部分的に絶縁され部分的に絶縁されていないものであり得る。本明細書中で用いられるとき、「ワイヤ」は、捩じられたワイヤのセット（「捩じられたワイヤ」または「捩じられたワイヤのペア」としても互換的に呼ばれ得る）を含み得、２つの捩じられたワイヤのセットを含むが、それには限定されない。１ｃｍ（インチ）当たりの捩じられたワイヤのセットの巻き数、および／または、ランナーの螺旋状の１旋回当たりの捩じられたワイヤのセットの巻き数は、システムの特徴的な測定量／特徴であり得る。一実施形態において、捩じられたワイヤの１ｃｍ（インチ）当たりの捩じれ数は、約２、約５、約１０、約２０、約１００、約１５０、約２００、約２５０、および／または、その他の適切な数の捩じれであり得る。一部の実施形態において、捩じられたワイヤの１ｃｍ（インチ）当たりの捩じれ数は、１４４回であり得る。
【００５０】
一部の実装において、交流電流および対応する生成された電磁場の周波数特徴は、捩じられたワイヤの捩じれ数に基づき得る、比例し得る、および／または、別様に関係し得る。例えば、１ｃｍ（インチ）当たりのより多い捩じれ数は、交流電流、および／または、対応する生成された電磁気的効果および／または電磁場に対するより高い動作周波数に対応し得る。一部の実装において、複数の捩じられたワイヤ（例えば、第１のランナーの周囲に巻かれた第１の捩じられたワイヤ、ならびに、第２のランナーの周囲に巻かれた第２の捩じられたワイヤ）は、同じ捩じれ方向、および／または、異なる捩じれ方向を有し得る。一部の実装において、複数のワイヤ（例えば、捩じられたワイヤ）は、同じランナーの周囲に巻かれ得る。一部の実装において、ワイヤは、１つ以上の支柱のうちの一部または全部の周囲に巻かれ得る。
【００５１】
一部の実装において、導電性ワイヤとして用いられるワイヤ（捩じられたワイヤのペアを含むがそれには限定されない）は、約２６米国ワイヤゲージ（ＡＷＧ）の直径、約２５ＡＷＧの直径、約２４ＡＷＧの直径、約２３ＡＷＧの直径、約２２ＡＷＧの直径、約２１ＡＷＧの直径、約２０ＡＷＧの直径、約１９ＡＷＧの直径、約１８ＡＷＧの直径、約１７ＡＷＧの直径、約１６ＡＷＧの直径、約１５ＡＷＧの直径、約１４ＡＷＧの直径、約１３ＡＷＧの直径、約１２ＡＷＧの直径、および／または、特定の用途に適した別の直径を有し得る。一部の実装において、導電性ワイヤとして用いられるワイヤ（捩じられたワイヤのペアを含むがそれには限定されない）は、少なくとも２０ＡＷＧの直径（すなわち、２０ＡＷＧの程度の大きさの直径）を有し得る。
【００５２】
図６は、同じ円形軸を共有し、かつ、ワイヤガイド５６を有する、２つの絡み合わされた螺旋状に巻かれたランナー（すなわち、ランナー５７およびランナー５８）を含む例示的な本体５５の等角図を図示しており、両方のランナーは、支柱５９によって結合されている。
【００５３】
図７は、同じ楕円形軸７８を共有する、２つの絡み合わされた螺旋状に巻かれたランナー（すなわち、ランナー７６およびランナー７７）を含む例示的な本体７５を図示しており、両方のランナーは、支柱７９によって結合されている。同じ軸を共有する２つ（またはそれ以上）の絡み合わされた螺旋状に巻かれたランナーを含む本体は、任意の平面形状において配列され得、該平面形状は、円形、楕円形、三角形、正方形、矩形、角張った形状、多角形、および／または、その他の平面形状を含む。代替的に、および／または、同時に、このような本体は、３次元曲線（別名として、空間曲線）に配列され得る。図７において、本体７５は、平面楕円形状に本体を配列し、両方の端部（すなわち、図１における端部２０および端部２１）を一緒に接合することにより、より多くの旋回を含むが本体１５に類似した本体から形成され得る。上述は、いかようにも、本体７５と類似のまたは実質的に同じ本体の製造（のプロセス）を限定することは意図されていない。
【００５４】
一部の実装において、図７に描写されているランナー７６およびランナー７７は、図１、２におけるランナー１６およびランナー１７、および／または、図３、４におけるランナー３６およびランナー３７に帰する１つ以上の特徴を共有し得る。例えば、図７におけるランナー７６およびランナー７７は、可撓性である材料を含み得る。
【００５５】
図８は、同じ円形軸を共有する２つの絡み合わされた螺旋状に巻かれたランナー（ランナー８８およびランナー８９）を含む例示的な本体８５の上から眺めた図を図示しており、該ランナーは、支柱９０によって結合されており、ランナーの周囲にスパイラル状に巻かれたワイヤ（すなわち、ワイヤ８６およびワイヤ８７）を有している。一部の実装において、ワイヤ８６および／またはワイヤ８７は、導電性ワイヤであり得る。ワイヤ８６および／またはワイヤ８７は、本記載中に含まれている任意の図面に挙げられている任意のワイヤと同様に、絶縁されたもの、絶縁されていないもの、または、部分的に絶縁され部分的に絶縁されていないものであり得る。ワイヤ８６および／またはワイヤ８７は、本記載中に含まれている任意の図面に挙げられているワイヤと同様に、捩じられたワイヤ（捩じられたワイヤのペアとして呼ばれる）であり得る。本体８５のランナー８８およびランナー８９は、コアを形成し得、コアの周囲には、ワイヤ８６およびワイヤ８７が、それぞれ、スパイラル状に巻かれている。したがって、ワイヤ８６およびワイヤ８７は、それぞれ、ランナー８９およびランナー８８と一致する軸を有する螺旋状形状で配列され得る。
【００５６】
一部の実装において、図８に描写されているランナー８８およびランナ８９は、図１、２におけるランナー１６およびランナー１７、および／または、図３、４におけるランナー３６およびランナー３７、および／または、図７におけるランナー７６およびランナー７７に帰する１つ以上の特徴を共有し得る。例えば、一部の実装において、ランナー８８および／またはランナー８９は、可撓性材料を含み得る。
【００５７】
ワイヤ８６は、少なくとも２本のリード（すなわち、リード８６ａおよびリード８６ｂ）を含み得る。ワイヤ８７は、少なくとも２本のリード（すなわち、リード８７ａおよびリード８７ｂ）を含み得る。ワイヤ８６およびワイヤ８７は、導電性であり得る。一部の実装において、ワイヤ８６は、捩じられた導電性ワイヤのペアを含むコンダクタであり得る。このような場合において、ワイヤ８６は、４本のリードを含み得る。一部の実装において、ワイヤ８７は、捩じられた導電性ワイヤのペアを含むコンダクタであり得る。このような場合において、ワイヤ８７は、４本のリードを含み得る。
【００５８】
本体８５と類似のまたは同じ１つ以上の本体は、１つ以上の電力源および／または電流源を有する電気的システムにおいて用いられ得、該１つ以上の電力源および／または電流源は、例えば、ワイヤ８６のリード８６ａおよびリード８６ｂ（および／または、図８に描写されていないワイヤ８６の任意のその他のリード）と結合することを通して、そして、ワイヤ８７のリード８７ａおよびリード８７ｂ（および／または、図８に描写されていないワイヤ８７の任意のその他のリード）との結合を通して、ワイヤ８６およびワイヤ８７のうちの一方または両方との電気的結合が確立され得るように、配列され得る。ワイヤ８６に供給される１つ以上の電流は、１つ以上の直流電流および／または１つ以上の交流電流を含み得る。ワイヤ８７に供給される１つ以上の電流は、１つ以上の直流電流および／または１つ以上の交流電流を含み得る。ワイヤ８６およびワイヤ８７に供給される電流は、同じ方向または反対方向に流れ得る。交流電流に対し、０Ｈｚ〜４０ＧＨｚの範囲に及ぶ動作周波数が、企図される。ワイヤ８６およびワイヤ８７に対する動作周波数は、同じであり得るか、または、異なり得る。ワイヤ８６およびワイヤ８７に供給される電流のその他の電気的な動作特性（例えば、位相、振幅、電力レベル、および／または、その他の動作特性）は、同じであり得るか、または、異なり得る。電気的システムは、電力が本体８５と類似のまたは実質的に同じ１つ以上の本体の１つ以上のワイヤに供給されるときに形成される電磁場を活用するために用いられ得る。
【００５９】
図９は、同じ円形軸を共有する２つの絡み合わされた螺旋状に巻かれたランナー（すなわち、ランナー９７およびランナー９８）を含む例示的な本体９５の上から眺めた図を図示しており、両方のランナーは、支柱（図９には示されておらず、可能性としては視野から隠れる）によって結合されており、そして、本体９５の両方のランナーの周囲にスパイラル状に巻かれたワイヤ９６を有している。ワイヤ９６は、２本のリード（すなわち、リード９６ａおよびリード９６ｂ）を含み得る。ワイヤ９６を伴う本体９５の結果としての形状は、ヘリコイダル形状として呼ばれ得る。本体９５と類似のまたは同じ１つ以上の本体は、電力源および／または電流源を有する電気的システムにおいて用いられ得、該電力源および／または電流源は、例えばリード９６ａおよびリード９６ｂを通してワイヤ９６との電気的結合が確立され得るように、配列される。ワイヤ９６に供給される電力は、直流電流または交流電流を含み得る。ワイヤ９６を流れる交流電流に対する動作周波数は、０Ｈｚ〜４０ＧＨｚの範囲に及ぶことが企図される。電気的システムは、電力が供給されるときに形成される電磁気的効果および／または電場を活用するために用いられ得る。一部の実装において、ワイヤ９６は、図９における描写されている２本のリードの代わりに４本のリードを含む捩じられたワイヤのペアであり得る。このような場合において、異なる電流が、捩じられたワイヤのペアの各ワイヤに供給され得る。
【００６０】
一部の実装において、図９に描写されているランナー９７およびランナー９７は、図１、２におけるランナー１６およびランナー１７、および／または、図３、４におけるランナー３６およびランナー３７、および／または、図７におけるランナー７６およびランナー７７、および／または、図８におけるランナー８８およびランナー８９に帰する１つ以上の特徴を共有し得る。例えば、図９におけるランナー９７およびランナー９８は、可撓性である材料を含み得る。
【００６１】
図１０は、同じ円形軸を共有する２つの絡み合わされた螺旋状に巻かれたランナー（すなわち、ランナー８８およびランナー８９）を含む例示的な本体１０５の上から眺めた図を図示しており、該ランナーは、支柱９０によって結合されており、該ランナーの周囲にスパイラル状に巻かれた捩じられたワイヤのペア（すなわち、捩じられたワイヤ８６ｘおよび捩じられたワイヤ８７ｘ）を有している。捩じられたワイヤ８６ｘおよび捩じられたワイヤ８７ｘは、ワイヤ８６ｘおよびワイヤ８７ｘとして互換的に呼ばれ得る。一部の実装において、ワイヤ８６ｘおよび／またはワイヤ８７ｘは、導電性であり得る。ワイヤ８６ｘおよび／またはワイヤ８７ｘは、本記載に含まれている任意の図中に挙げられている任意のワイヤと同様に、絶縁されたもの、絶縁されていないもの、または、部分的に絶縁され部分的に絶縁されていないものであり得る。本体１０５のランナー８８およびランナー８９は、コアを形成し得、該コアの周囲には、それぞれ、ワイヤ８７ｘおよびワイヤ８６ｘがスパイラル状に巻かれている。したがって、ワイヤ８６ｘおよびワイヤ８７ｘは、それぞれ、ランナー８９およびランナー８８と一致する軸を有する螺旋状形状に配列され得る。
【００６２】
一部の実施形態において、図１０に描写されているランナー８８およびランナー８９は、図１、２におけるランナー１６およびランナー１７、図３、４におけるランナー３６およびランナー３７、および／または、図７におけるランナー７６およびランナー７７に帰する１つ以上の特徴を共有し得る。例えば、一部の実装において、ランナー８８および／またはランナー８９は、可撓性材料を含み得る。
【００６３】
ワイヤ８６ｘは、少なくとも４本のリード（すなわち、リード８６ａ、リード８６ｂ、リード８６ｃ、リード８６ｄ）を含み得る。ワイヤ８７ｘは、少なくとも４本のリード（すなわち、リード８７ａ、リード８７ｂ、リード８７ｃ、リード８７ｄ）を含み得る。一部の実装において、ワイヤ８６ｘは、捩じられた導電性ワイヤの１つ以上のペアを含むコンダクタであり得る。このような場合において、ワイヤ８６ｘは、４本よりも多くのリードを含み得る。一部の実装において、ワイヤ８７ｘは、捩じられた導電性ワイヤの１つ以上のペアを含むコンダクタであり得る。このような場合において、ワイヤ８７ｘは、４本よりも多くのリードを含み得る。
【００６４】
本体１０５と類似のまたは同じ１つ以上の本体は、１つ以上の電力源および／または電流源を有する電気的システムにおいて用いられ得、該１つ以上の電力源および／または電流源は、例えばワイヤ８６ｘのリード８６ａ〜８６ｄ（および／または、図１０に描写されていないワイヤ８６ｘの任意のその他のリード）との結合を通して、および、ワイヤ８７ｘのリード８７ａ〜８７ｄ（および／または、図１０に描写されていないワイヤ８７ｘの任意のその他のリード）との結合を通して、ワイヤ８６ｘおよびワイヤ８７ｘのうちの一方または両方との電気的結合が確立され得るように、配列され得る。ワイヤ８６ｘに供給される１つ以上の電流は、１つ以上の直流電流および／または１つ以上の交流電流を含み得る。ワイヤ８７ｘに供給される１つ以上の電流は、１つ以上の直流電流および／または１つ以上の交流電流を含み得る。ワイヤ８６ｘおよびワイヤ８７ｘに供給される電流は、同じ方向または反対方向に流れ得る。交流電流に対して、０Ｈｚ〜４０ＧＨｚの範囲に及ぶ動作周波数が企図される。ワイヤ８６ｘおよびワイヤ８７ｘに対する動作周波数は、同じであり得るか、または、異なり得る。ワイヤ８６ｘおよびワイヤ８７ｘに供給される電流のその他の電気的な動作特性（例えば、位相、振幅、電力レベル、および／または、その他の動作特性）は、同じであり得るか、または、異なり得る。電気的システムは、電力が本体１０５と類似のまたは実質的に同じ１つ以上の本体の１つ以上のワイヤに供給されるときに形成される電磁気的効果（電磁場）を活用するために用いられ得る。
【００６５】
図１〜１０に示されている本体および／またはシステムのうちのいずれかが、電気的システムにおいて用いられ得る。コンダクタおよび／または導電性ワイヤは、１つ以上のランナー、１つ以上の支柱、および／または、これらの組み合わせの周囲にスパイラル状に巻かれ得、電力が導電性ワイヤのうちの１つ以上に供給されるときに、特定の電磁気的特性を有する電気的システムを生じる。
【００６６】
本明細書中に記載されている電気的システムのうちの任意のものに対する用途は、植物、動物、および／または、その他の（生体）器官の成長および／または成長速度、医療用途、治療用途、エネルギー発生、エネルギー変換、エネルギー変質、アデノシン三リン酸（ＡＴＰ）発生、ＡＴＰ転送、ＡＴＰ処理、および／または、その他の用途を含み得る。一部の実装において、これらの本体のうちの任意のもの（および／または、これらの複数の実例）を含む電気的システムは、１つ以上の機能および／または用途を実行する電気的回路における構成要素として用いられ得、該構成要素としては、（整調可能な）インダクタ、（テスラ）コイル、変圧器、トランスデューサ、トランジスタ、レジスタ、ソレノイド、電気的モータのためのステータ、電磁石、電磁気的パルス生成器、電磁気的アクチュエータ、エネルギー変換デバイス、位置サーボ機構、発電機、ステッピングモータ、ＤＣモータ、（無接触）リニアドライブ、軸方向磁束デバイス、透磁性のための測定デバイス、二重極磁石、電子および／または粒子の軌道を変化させるためのデバイスを含む。
【００６７】
例証を目的として、図１１は、本体８５（図８に示されている）と同じまたは類似の本体を含む電気的システム１１５を図示している。一部の実装において、本体８５は、第１のランナーおよび第２のランナーを含み得、これらのランナーは、図８に示されているランナー８８およびランナー８９と類似し得るか、または、同じであり得る。
【００６８】
図１１を参照すると、一部の実装において、本体８５は、トロイダル形状に配列され得る。導電性ワイヤは、図１１に描写されているランナーの周囲に巻かれ得る。電気的システム１１５は、ユーザインターフェース１２０、１つ以上の物理的プロセッサ１１０、１つ以上のセンサ１４２、電子的ストレージ１３０、１つ以上の電流源１２、入力構成要素１１１、再生構成要素１１２、処理構成要素１１３、コネクタ（不図示）、および／または、その他の構成要素をさらに含み得る。
【００６９】
例証を目的として、図１２は、本体１０５（図１０に示されている）と同じまたは類似の本体を含む電気的システム１１５ｘを図示している。一部の実装において、本体１０５は、第１のランナーおよび第２のランナーを含み得、これらのランナーは、図１０に示されているランナー８８およびランナー８９と類似し得るか、または、同じであり得る。
【００７０】
図１２を参照すると、一部の実装において、本体１０５は、トロイダル形状に配列され得る。導電性ワイヤは、図１２に描写されているランナーの周囲に巻かれ得る。電気的システム１１５ｘは、ユーザインターフェース１２０、１つ以上の物理的プロセッサ１１０、１つ以上のセンサ１４２、電子的ストレージ１３０、１つ以上の電流源１２、入力コンポーネント１１１、再生構成要素１１２、処理構成要素１１３、コネクタ（不図示）および／またはその他の構成要素のうちの１つ以上をさらに含み得る。
【００７１】
センサ（単数または複数）１４２は、情報を伝搬する出力信号を生成するように構成され得る。情報は、電気生理学的情報および／またはその他の情報を含み得る。一部の実装において、１つ以上のセンサ１４２は、オーディオセンサ、マイクロホン、聴診器、圧力センサ、運動センサ、近接センサ、電磁気的センサ、電極、温度センサ、電流センサ、光学的センサ、電気光学的センサ、および／または、その他のセンサまたはこれらの組み合わせのうちの１つ以上を含み得る。一部の実装において、電気的システム１１５および／または電気的システム１１５ｘは、１つ以上のセンサ１４２を含まないことがあり得る。
【００７２】
一部の実装において、１つ以上のプロセッサ１１０は、情報処理能力を提供するように、かつ／または、コンピュータプログラム構成要素を実行するように構成され得、該コンピュータプログラム構成要素は、入力構成要素１１１、再生構成要素１１２、処理構成要素１１３、および／または、その他の構成要素を含むが、これらに限定されない。非限定的な例として、センサ１４２、プロセッサ１１０、ユーザインターフェース１２０、電子的ストレージ１３０、入力構成要素１１１、再生構成要素１１２、および／または、処理構成要素１１３の追加的な構造および／または特徴が、米国特許出願第１４／１９４，４１２号、発明の名称“Ｈｅａｌｔｈ  Ａｐｐｌｉｃａｔｉｏｎｓ  ｆｏｒ  Ｕｓｉｎｇ  Ｂｉｏ−Ｆｅｅｄｂａｃｋ  ｔｏ  Ｃｏｎｔｒｏｌ  ａｎ  Ｅｌｅｃｔｒｏｍａｇｎｅｔｉｃ  Ｆｉｅｌｄ”、２０１４年２月２８日出願、に記載され得、該米国特許出願の全体は、参照により本明細書中に援用される。この出願はまた、本明細書中では“４１２出願”としても呼ばれ得る。
【００７３】
１つ以上の電流源１２は、電気的リードを横断して１つ以上の電流を誘起するように構成され得、該電気的リードは、これらに限定されないが、１つ以上のコンダクタおよび／または導電性ワイヤの電気的リードを含み、該電気的リードは、ランナーの周囲、および／または、本体８５（図１１内）および／または本体１０５（図１２内）のトロイダル構造に巻かれている。一部の実装において、１つ以上の電流は、１つ以上の交流電流を含み得る。一部の実装において、１つ以上の誘起された電流は、１つ以上のセンサ生成の出力信号に対応し得る。一部の実装において、１つ以上の誘起された電流は、電気的システム１１５および／または電気的システム１１５ｘのトランスデューサおよび／または１つ以上のその他の構成要素によって生成された１つ以上の信号に対応し得る。一部の実装において、１つ以上の電流源１２は、図１１における第１のランナーおよび第２のランナーのそれぞれの周囲にスパイラル状に巻かれた２つの（捩じられた）ワイヤに対して２つの独立した電流を誘起するように構成され得る。一部の実装において、１つ以上の電流源１２は、例えば図１２における第１のランナーおよび第２のランナーのそれぞれの周囲にスパイラル状に巻かれた４つの（捩じられた）ワイヤに対して４つの独立した電流を誘起するように構成され得る。
【００７４】
一部の実装において、コンダクタは、電気的システム１１５および／または電気的システム１１５ｘと類似したシステムの本体の絡み合わされた螺旋状に巻かれたランナーの周囲に巻かれている。このようなコンダクタは、捩じられた導電性ワイヤのペアを含み得、各コンダクタは、少なくとも４本のリードを有する。例えば、捩じられたワイヤの第１のペアは、第１のランナーの周囲に巻かれ得、捩じられたワイヤの第２のペアは、第２のランナーの周囲に巻かれ得る。一部の実装において、１つ以上の電流源１２は、捩じられたワイヤの第１のペアにおける第１のワイヤに第１の交流電流を供給し、捩じられたワイヤの第１のペアにおける第２のワイヤに第２の交流電流を供給し、捩じられたワイヤの第２のペアにおける第１のワイヤに第３の交流電流を供給し、捩じられたワイヤの第２のペアにおける第２のワイヤに第４の交流電流を供給するように構成され得る。
【００７５】
図１１、１２を参照すると、一部の実装において、本体８５および／または本体１０５のそれぞれのランナーの周囲に巻かれた導電性ワイヤに供給される電流は、１つ以上の電気的特性に関して同じまたは類似であり得、該１つ以上の電気的特性は、周波数、振幅、電力レベル、および／または、その他の電気的動作特性を含むが、これらに限定されない。一部の実装において、本体８５および／または本体１０５のそれぞれのランナーの周囲に巻かれた導電性ワイヤに供給される電流の１つ以上の電気的特性は、異なり得る。例えば、一部の実装において、１つ以上の電流源１２は、第１の周波数を有する第１の交流電流を供給し、第２の周波数を有する第２の交流電流を供給し、第３の周波数を有する第３の交流電流を供給し、第４の周波数を有する第４の交流電流を供給するように構成され得る。一部の実装において、第１の周波数および第３の周波数は、同じであり得る。一部の実装において、第２の周波数および第４の周波数は、同じであり得る。
【００７６】
一部の実装において、１つ以上の電流源１２は、第１の方向を有する第１の交流電流を供給し、第２の方向を有する第２の交流電流を供給し、第３の方向を有する第３の交流電流を供給し、第４の方向を有する第４の交流電流を供給するように構成され得る。一部の実装において、第１の方向および第３の方向は、同じであり得、例えば、本開示に記載されているような電気的システムの本体の周囲で時計回りであり得る。一部の実装において、第２の方向および第４の方向は、同じで、第１の交流電流および第３の交流電流の方向とは反対であり得、例えば、本開示に記載されている電気的システムの本体の周囲で反時計回りであり得る。
【００７７】
一部の実装において、本体８５および／または本体１０５に供給される交流電流は、搬送信号および変調信号を含み得る。一部の実装において、交流電流に対して用いられる搬送信号は、無線周波数信号であり得る。本明細書中で用いられるとき、無線周波数は、約３０ｋＨｚ〜約３０ＧＨｚの周波数を参照し得る。一部の実装において、交流電流に対する変調信号は、振幅変調、周波数変調、位相変調、デジタル変調、および／または、その他のタイプの変調のうちの１つ以上を通して変調され得る。
【００７８】
一部の実装において、交流電流に含まれる１つ以上の周波数は、周波数生成器、関数発生器、および／または、（音楽）楽器によって生成された、ノート、トーン、または、コードのオーディオ録音に基づき得る。一部の実装において、第１の周波数は、第１のランナーのために用いられ得、第２の周波数は、第２のランナーのために用いられ得る。例えば、第１の周波数は、ミドルＣの上のＡ（Ａ４とも呼ばれ、周波数約４３２Ｈｚを有するサウンドを含み得、用いられている同調システムに依存する）を演奏している楽器（例えば、ピアノ）のサウンドに基づき得る。例えば、第２の周波数は、Ａ４との調和した間隔を形成しているノート（例えば、Ｅ５であって、約６４８Ｈｚの周波数を有するサウンドを含み得る）を演奏している一部の楽器（例えば、ピアノ）のサウンドに基づき得る。例えば、第３の周波数は、用いられる場合、Ａ４との調和した間隔を形成しているノート（例えば、Ａ５であって、約８６４Ｈｚの周波数を有するサウンドを含み得る）を演奏している一部の楽器（例えば、ピアノ）のサウンドに基づき得る。一部の楽器において用いられる特定の同調は、Ｐｙｔｈａｇｏｒｅａｎ同調と呼ばれ得る。数学的に完全な同調は、３：２の比を有するノートを組み合わせ得る。異なるタイプの同調（または同調システム）（ｅｑｕａｌ  ｔｅｍｐｅｒｅｄ同調を含むがこれに限定されない）が、本開示の範囲内で用いられ得、考えられ得る。
【００７９】
プロセッサ１１０は、デジタルプロセッサ、アナログプロセッサ、情報を処理するように設計されたデジタル回路、中央処理ユニット、グラフィック処理ユニット、情報を処理するように設計されたアナログ回路、および／または、情報を電子的に処理するためのその他の機構を含み得る。図１１、１２に示されているプロセッサ１１０は、単一の実体であるが、これは、例証を目的としているものにすぎない。一部の実装において、プロセッサ１１０は、複数の処理ユニットを含み得る。
【００８０】
構成要素１１１〜１１３は、図１１、１２において、単一の処理ユニット内に一緒に配置されているものとして図示されているが、プロセッサ１１０が複数の処理ユニットを含む実装において、構成要素１１１〜１１３のうちの１つ以上は、その他の構成要素から遠隔に配置され得る。本明細書中に記載されている異なる構成要素１１１〜１１３によって提供されている機能性についての記載は、例示を目的としてものであり、限定を意図していない。なぜなら、構成要素１１１〜１１３のうちの任意のものが、記載されているよりも多くの機能性または少ない機能性を提供し得るからである。例えば、構成要素１１１〜１１３のうちの１つ以上が排除され得、その機能性のうちの一部または全部は、構成要素１１１〜１１３のうちのその他のものに組み込まれ得、該その他の物によって共有され得、該その他のものに統合され得、かつ／または、別様に該その他のものによって提供され得る。プロセッサ１１０は、構成要素１１１〜１１３のうちの１つの下に帰する機能性のうちの一部または全部を実行し得る１つ以上の追加的な構成要素を実行するように構成され得る。
【００８１】
入力構成要素１１１は、例えば１つ以上のデジタルオーディオファイルから、または、代替的におよび／または同時に、センサ生成の出力信号に基づいて、情報を取得するように構成され得る。一部の実装において、情報は、ストレージから（例えば、電子的ストレージから）取得され得る。ストレージから取得された情報は、任意のフォーマットにおける電子的オーディオファイルを含み得、該フォーマットは、ＭＰ３、ＷＭＡ、ＷＡＶ、ＡＩＦＦ、および／または、その他のオーディオフォーマットを含むが、これらには限定されない。一部の実装において、情報は、サウンド源から取得され得、該サウンド源は、周波数生成器、関数発生器、蓄音機、ＣＤプレイヤー、ＤＶＤプレイヤー、ＡＭラジオ、ＦＭラジオ、および／または、その他のサウンド源を含む。
【００８２】
処理構成要素１１３は、入力構成要素１１１からの取得された情報を処理するように構成され得る。一部の実装において、処理構成要素１１３は、入力構成要素１１１からの取得された情報に基づいて処理された信号を生成するように構成され得る。例えば、処理モジュール１１３は、処理された信号を生成するために、入力モジュール１１１からの情報または信号を変換、フィルタリング、改変、および／または、別様に変質し得る。
【００８３】
再生構成要素１１２は、入力構成要素１１１からの取得された情報、および／または、処理構成要素１１３からの処理された信号のうちの１つ以上に基づいて、サウンド信号を発生させるように構成され得る。再生構成要素１１２によって発生させられたサウンド信号は、誘起された電流が、サウンド信号に対応する、かつ／または、サウンド信号に基づくように、本体１１１０の１つ以上のランナーの周囲に巻かれた１つ以上の導電性ワイヤのリードに電気的に結合され得る。代替的におよび／または同時に、誘起された電流は、再生構成要素１１２によって発生させられたサウンド信号によって制御され得る、かつ／または、該サウンド信号に基づいて制御され得る。一部の実装において、再生モジュール１１２によって発生させられたサウンド信号は、１つ以上の導電性ワイヤのリードに電気的に結合される前に、増幅器によって増幅され得る。一部の実装において、増幅器は、１００Ｗ〜４００Ｗの範囲に及ぶオーディオ増幅器であり得る。その他のタイプの増幅器および／または異なる電力範囲を有する増幅器もまた、企図される。
【００８４】
図１４は、本開示のいずれかの場所に記載されているような、２つの絡み合わされた螺旋状に巻かれたランナーを有する本体の２つのランナー（図１４において不図示）の周囲における、捩じられたワイヤ１４３１および捩じられたワイヤ１４３２を配線するための配線情報１４１２を図示している。例えば、図１０を参照すると、ワイヤ８６ｘは、図１４に示されている捩じられたワイヤ１４３１を含み得（または、そのように実装され得）、かつ／または、ワイヤ８７ｘは、図１４に示されている捩じられたワイヤ１４３２を含み得る（または、そのように実装され得る）。一部の実装において、捩じられたワイヤ１４３１は、第１のランナーの周囲に巻かれ得る（例えば、図８または図１０に示されているランナー８８と同じまたは類似である）。一部の実装において、捩じられたワイヤ１４３２は、第２のランナーの周囲に巻かれ得る（例えば、図８または図１０に示されているランナー８９と同じまたは類似である）。１つ以上の電流および／または信号は、４本のリードを通して捩じられたワイヤ１４３１に提供され得、そして、４本のリードを通して捩じられたワイヤ１４３２に提供され得る（図１４においては丸囲みのプラス符号またはマイナス符号によって示されている）。一部の実装において、捩じられたワイヤ１４３１および１４３２に提供される電流および／または信号は、オーディオチャネル（例えば、図１４においてラベル“ａ”および“ｂ”によって図示されているチャネル“ａ”およびチャネル“ｂ”）をサポートするオーディオ増幅器１４１５によって提供され得る。オーディオ増幅器１４１５のチャネル“ａ”上の信号は、“Ｆ１”とラベル付けされている。オーディオ増幅器１４１５のチャネル“ｂ”上の信号は、“Ｆ２”とラベル付けされている。一部の実装において、１つ以上の信号が、関数発生器１４２０（例えば、周波数生成器）によってオーディオ増幅器１４１５に提供され得る。例えば、関数発生器は、例えば、信号Ｆ１と類似または同じ第１の周波数（例えば、オーディオ増幅器１４１５のチャネル“ａ”を駆動するために用いられる）と、信号Ｆ２と類似または同じ第２の周波数と（例えば、オーディオ増幅器のチャネル“ｂ”を駆動するために用いられる）を提供するように、複数のチャネルを独立的に提供するように構成され得る。
【００８５】
図１４に示されているように、信号Ｆ１のプラス側は、捩じられたワイヤ１４３１および１４３２の８本のリードのうちの２本に電気的におよび／または動作可能に接続され得、２本の選択されたリードは、反対の端部上にある。信号Ｆ１のマイナス側は、捩じられたワイヤ１４３１および１４３２の２本のその他のリードに電気的におよび／または動作可能に接続され得、２本のその他のリードは、捩じられたワイヤ１４２１の反対の端部上にあり得る。図１４に示されているように、信号Ｆ２のプラス側は、捩じられたワイヤ１４３１および１４３２の８本のリードのうちの２本に電気的におよび／または動作可能に接続され得、２本の選択されたリードは、反対の端部にある。信号Ｆ２のマイナス側は、捩じられたワイヤ１４３１および１４３２の２本のその他のリードに電気的におよび／または動作可能に接続され得、２本のその他のリードは、捩じられたワイヤ１４２１の反対の端部上にあり得る。一部の実装において、配線情報１４１２を用いることにより、信号Ｆ１は、周波数２５０Ｈｚに基づき得、信号Ｆ２は、信号Ｆ１の周波数の４倍の周波数（例えば、１０００Ｈｚ）に基づき得る。同様に、信号Ｆ１およびＦ２は、非限定的な例として、それぞれ、２１６Ｈｚおよび８６４Ｈｚであり得る。一部の実装において、信号Ｆ１およびＦ２の周波数は、調和した間隔を形成し得る（例えば、信号Ｆ２の周波数が、信号Ｆ１の周波数の倍数となるように）。
【００８６】
図１１における電気的システム１１５および／または図１２における電気的システム１１５ｘの電子的ストレージ１３０は、情報を電子的に格納する電子的格納媒体を含み得る。電子的ストレージ１３０の電子的格納媒体は、その電気的システムと一体的に（すなわち、実質的に取り外し不可能に）提供されたシステムストレージ、および／または、例えばポート（例えば、ＵＳＢポート、Ｆｉｒｅｗｉｒｅポート等）またはドライブ（例えば、ディスクドライブ等）を介してその電気的システムに接続可能な取り外し可能ストレージのうちの、一方または両方を含み得る。電子的ストレージ１３０は、光学的に読み取り可能な格納媒体（例えば、光学ディスク等）、磁気的に読み取り可能な格納媒体（例えば、磁気テープ、磁気ハードドライブ、フロッピー（登録商標）ドライブ等）電気的に読み取り可能な格納媒体（例えば、EPROM、EEPROM、RAM等）、ソリッドステート格納媒体（例えば、フラッシュドライブ等）、および／または、その他の電気的に読み取り可能な格納媒体のうちの１つ以上を含み得る。電子的ストレージ１３０は、ソフトウェアアルゴリズム、プロセッサ１１０によって決定された情報、ユーザインターフェース１２０を介して受信された情報、および／または、電気的システム１１５および／または電気的システム１１５ｘが適切に機能することを可能にするその他の情報を格納し得る。例えば、電子的ストレージ１３０は、サウンド情報、および／または、電子的オーディオファイル（本明細書中のいずれかの場所において議論されている）、および／または、その他の情報を格納し得る。電子的ストレージ１３０は、その電気的システム内の別個の構成要素であり得るか、または、電子的ストレージ１３０は、その電気的システムの１つ以上のその他の構成要素（例えば、プロセッサ１１０）と一体的に提供され得る。
【００８７】
図１１における電気的システム１１５および／または図１２における電気的システム１１５ｘのユーザインターフェース１２０は、電気的システムとユーザ（例えば、ユーザ１０８、被験者１０６、介護者、治療決定者等）との間にインターフェースを提供し、該インターフェースを介して、ユーザが電気的システムに情報を提供し、かつ、電気的システムから情報を受信することができるように、構成される。これは、データ、結果、および／または、命令、ならびに、任意のその他の通信可能アイテム（集約的に「情報」と呼ばれる）が、ユーザと図１１における電気的システム１１５および／または図１２における電気的システム１１５ｘとの間で通信されることを可能にする。ユーザ１０８に伝搬され得る情報の例は、再生モジュール１１２によって発生させられたサウンド信号のボリュームおよび／または強度の指標である。ユーザインターフェース１２０に含めることに適したインターフェースデバイスの例は、キーパッド、ボタン、スイッチ、キーボード、ノブ、レバー、ディスプレイスクリーン、タッチスクリーン、スピーカ、マイクロホン、表示灯、可聴アラーム、およびプリンタを含む。情報は、ユーザインターフェース１２０によって、可聴信号、視覚信号、触覚信号、および／または、その他の知覚信号の形式で、ユーザ１０８または被験者１０６に提供され得る。
【００８８】
有線または無線のいずれかのその他の通信技術もまた、ユーザインターフェース１２０として本明細書中で企図されていることが理解されるべきである。例えば、一実装において、ユーザインターフェース１２０は、電子的ストレージ１３０によって提供された取り外し可能格納インターフェースと一体化され得る。この例において、情報は、取り外し可能ストレージ（例えば、スマートカード、フラッシュドライブ、取り外し可能ディスク等）から、図１１における電気的システム１１５および／または図１２における電気的システム１１５ｘにロードされ、ユーザ（単数または複数）が、図１１における電気的システム１１５および／または図１２における電気的システム１１５ｘをカスタマイズすることを可能にする。ユーザインターフェース１２０が含むような、図１１における電気的システム１１５および／または図１２における電気的システム１１５ｘとの使用に適したその他の例示的な入力デバイスおよび技術は、ＲＳ−２３２ポート、ＲＦリンク、ＩＲリンク、モデム（電話、ケーブル、Ｅｔｈｅｒｎｅｔ（登録商標）、インターネットまたはその他）を含むが、これらに限定されない。要約すると、図１１における電気的システム１１５および／または図１２における電気的システム１１５ｘと情報を通信するための任意の技術は、ユーザインターフェース１２０として企図される。
【００８９】
図１３は、被験者に対して治療および／または電磁気的効果を提供するための方法１３００を図示している。方法１３００の動作は、例証を意図されて以下に提示される。特定の実装において、方法１３００は、記載されていない１つ以上の追加的な動作によって達成され得、かつ／または、議論されている動作のうちの１つ以上を伴わずに達成され得る。さらに、方法１３００の動作が図１３において図示され、以下に記載される順序は、限定的であることを意図されていない。
【００９０】
特定の実装において、方法１３００は、１つ以上の処理デバイス(例えば、デジタルプロセッサ、アナログプロセッサ、情報を処理するように設計されたデジタル回路、情報を処理するように設計されたアナログ回路、および／または、情報を電子的に処理するためのその他の機構)において実装され得る。１つ以上の処理デバイスは、電子的格納媒体上に電子的に格納された命令に応答して、方法１３００の動作の一部または全部を実行する１つ以上のデバイスを含み得る。１つ以上の処理デバイスは、方法１３００の動作のうちの１つ以上の実行のために特別に設計された、ハードウェア、ファームウェア、および／または、ソフトウェアを通して構成された、１つ以上のデバイスを含み得る。
【００９１】
方法１３００に関し、動作１３０２において、システムは、被験者において、または、被験者の近くにおいて、配列される。システムは、本体を含む。本体は、第１のランナー、第２のランナー、第１のワイヤ、第２のワイヤ、第３のワイヤ、第４のワイヤを含む。第１のランナーおよび第２のランナーは、二重螺旋において互いの周囲に螺旋状に絡み合わされている。第１のワイヤおよび第２のワイヤは、捩じられたワイヤの第１のペアを形成する。第３のワイヤおよび第４のワイヤは、捩じられたワイヤの第２のペアを形成する。捩じられたワイヤの第１のペアは、第１のランナーの周囲に巻かれている。捩じられたワイヤの第２のペアは、第２のランナーの周囲に巻かれている。一部の実装において、動作１３０２は、本体８５および電気的システム１１５、および／または、本体１０５および電気的システム１１５ｘ（図８、１０、１１、１２に示され、本明細書中に記載されている）と同じまたは類似の、電気的システムおよび／または本体によって実行される。
【００９２】
動作１３０４において、第１の交流電流は、第１のワイヤを通して誘起され、第２の交流電流は、第２のワイヤを通して誘起され、第３の交流電流は、第３のワイヤを通して誘起され、第４の電流は、第４のワイヤを通して誘起され、その結果、第１の交流電流、第２の交流電流、第３の交流電流、第４の交流電流は、電磁気的効果を生成する。一部の実装において、動作１３０４は、電流源１２（図１１、１２に示され、本明細書中に記載されている）と同じまたは類似の１つ以上の電流源によって実行される、かつ／または、該１つ以上の電流源を通して実行される。例えば、一部の実装において、動作１３０４は、図１４に描写されている配線情報にしたがって実行され得る。
【００９３】
本発明は、最も実用的であって好ましい実装として現在考えられるものに基づいて図示の目的のために詳細に記載されてきたが、そのような詳細は、専ら当該目的のためのものであること、ならびに、本発明は、開示されている実装に限定されるものではなく、それとは対照的に、添付の特許請求の範囲の趣旨および範囲内にある改変および均等なアレンジメントをカバーすることが意図されているということが理解されるべきである。例えば、本発明は、可能な範囲において、任意の実装の１つ以上の特徴が、任意のその他の実装の１つ以上の特徴と組み合わされ得るということを企図している。
【図１】
2015204459.tif 000002
【図２】
2015204459.tif 000003
【図３】
2015204459.tif 000004
【図４】
2015204459.tif 000005
【図５】
2015204459.tif 000006
【図６】
2015204459.tif 000007
【図７】
2015204459.tif 000008
【図８】
2015204459.tif 000009
【図９】
2015204459.tif 000010
【図１０】
2015204459.tif 000011
【図１１】
2015204459.tif 000012
【図１２】
2015204459.tif 000013
【図１３】
2015204459.tif 000014
【図１４】
2015204459.tif 000015